(57)【特許請求の範囲】
【請求項１】
発光装置と、前記発光装置を収容する筐体とを備える照明装置であって、
前記筐体は、
前記発光装置からの光を通過させて前記筐体の外部に放出する第一放出部と、
前記発光装置からの光を通過させて前記筐体の外部に放出する第二放出部であって、前記第一放出部から放出される光とは異なる方向に光を放出する第二放出部と、
前記第一放出部と前記第二放出部との間に配置された光学部材とを有し、
前記光学部材は、前記発光装置から入射する光の少なくとも一部を、前記第一放出部及び前記第二放出部の少なくとも一方に導く導光部材である
照明装置。
【請求項２】
前記第一放出部から放出される光の広がり角は、前記第二放出部から放出される光の広がり角よりも小さい
請求項１記載の照明装置。
【請求項３】
前記第一放出部及び前記第二放出部のそれぞれの前記筐体における位置は、前記第一放出部が上方に光を放出する場合に、前記第二放出部が斜め下方に向けて光を放出する位置である
請求項１または２記載の照明装置。
【請求項４】
さらに、前記光学部材における前記筐体の内側の位置に配置され、前記発光装置からの光を反射して前記第二放出部から放出させる反射部を備える
請求項１〜３のいずれか１項に記載の照明装置。
【請求項５】
前記反射部は、前記発光装置が有する発光素子と対向する位置に開口が形成された環状の部材であり、
前記第一放出部は、前記発光素子から放出され、前記開口を通過した光を通過させることで、前記発光装置からの光を前記筐体の外部に放出し、
前記第二放出部は、前記発光素子から放出され、前記反射部で反射した光を通過させることで、前記発光装置からの光を前記筐体の外部に放出する
請求項４記載の照明装置。
【請求項６】
前記発光装置は、
光軸が前記第一放出部に向く姿勢で配置された第一発光素子と、
光軸が前記第二放出部に向く姿勢で配置された第二発光素子と、を有する
請求項１〜３のいずれか１項に記載の照明装置。
【請求項７】
前記第一放出部は、前記筐体から所定の方向に向けて光を放出し、
前記第二放出部は、前記所定の方向から見た場合において、前記筐体から放射状に光を放出する
請求項１〜６のいずれか１項に記載の照明装置。
【請求項８】
前記第一放出部は、前記筐体に形成された第一開口と、前記第一開口に第一パッキンを介して嵌め合わされた、透光性を有する第一カバー部材とを有する
請求項１〜７のいずれか１項に記載の照明装置。
【請求項９】
前記第二放出部は、前記筐体に形成された第二開口と、前記第二開口に第二パッキンを介して嵌め合わされた、透光性を有する第二カバー部材とを有する
請求項１〜８のいずれか１項に記載の照明装置。
【請求項１０】
さらに、
前記第一放出部から放出される光を上方に向ける姿勢で前記筐体を支持する柱部材と、前記柱部材の内部に収容され、前記発光装置に電力を供給する駆動回路とを備える
請求項１〜９のいずれか１項に記載の照明装置。
【発明の詳細な説明】
【技術分野】
【０００１】
本発明は、照明装置に関し、特に屋外で用いることができる照明装置に関する。
【背景技術】
【０００２】
発光ダイオード（ＬＥＤ：Ｌｉｇｈｔ  Ｅｍｉｔｔｉｎｇ  Ｄｉｏｄｅ）等の半導体発光素子は、小型、高効率及び長寿命であることから、様々な製品の光源として期待されている。例えば、ＬＥＤを光源とするＬＥＤ照明が実用化されている。
【０００３】
ＬＥＤ照明には、電球形蛍光灯や白熱電球に代替する電球形ＬＥＤランプ（ＬＥＤ電球）、または、直管形蛍光灯に代替する直管ＬＥＤランプ等の口金付きのＬＥＤランプがある。例えば、特許文献１には、従来の電球形ＬＥＤランプが開示されている。
【０００４】
その他に、ＬＥＤランプを備える、シーリングライト、ダウンライトまたはスポットライト等の照明装置の開発も進められている。
【先行技術文献】
【特許文献】
【０００５】
【特許文献１】特開２００６−３１３７１７号公報
【発明の概要】
【発明が解決しようとする課題】
【０００６】
ＬＥＤ等の発光素子を光源として備える照明装置には、屋外用の照明装置もあり、屋外用の照明装置には、例えば、照明光の少なくとも一部が外構空間（人が居住する建物の外にある物体を含む空間）の演出に用いられる照明装置もある。
【０００７】
一般に、外構空間には、比較的に背の高い庭木、及び、地面に近い位置にある植栽（庭に植えられた草花等）など、平面上で互いに異なる位置に配置され、かつ、高さが互いに異なる照明対象が存在する。このような状況において、これら複数の照明対象のそれぞれに対して照明装置を設置する場合、照明装置の施工費等のコストの増加、または、外構空間の外観デザインの悪化などの問題を生じ得る。
【０００８】
本発明は、上記従来の課題を考慮し、複数の照明対象のそれぞれを適切に照らすことができる照明装置を提供することを目的とする。
【課題を解決するための手段】
【０００９】
上記目的を達成するために、本発明の一態様に係る照明装置は、発光装置と、前記発光装置を収容する筐体とを備える照明装置であって、前記筐体は、前記発光装置からの光を通過させて前記筐体の外部に放出する第一放出部と、前記発光装置からの光を通過させて前記筐体の外部に放出する第二放出部であって、前記第一放出部から放出される光とは異なる方向に光を放出する第二放出部と、前記第一放出部と前記第二放出部との間に配置された光学部材とを有する。
【発明の効果】
【００１０】
本発明の一態様に係る照明装置によれば、複数の照明対象のそれぞれを適切に照らすことができる。
【図面の簡単な説明】
【００１１】
【図１】実施の形態に係る照明装置の外観を示す斜視図である。
【図２Ａ】実施の形態に係る照明装置の部分断面図である。
【図２Ｂ】実施の形態に係る発光装置の構成概要を示す側面図である。
【図３】実施の形態に係る照明装置の構成概要を示す分解斜視図である。
【図４】実施の形態に係る照明装置の内部から外部に到る光の経路を模式的に示す断面図である。
【図５】実施の形態に係る第一放出部及び第二放出部のそれぞれから放出される光の広がり角を示す側面図である。
【図６】実施の形態に係る照明装置の第二放出部から放射状に光が放出されることを示す上面図である。
【図７】実施の形態に係る照明装置の設置例を示す図である。
【図８Ａ】実施の形態に係る第二放出部からの光の照射領域の第１の別例を示す図である。
【図８Ｂ】実施の形態に係る第二放出部からの光の照射領域の第２の別例を示す図である。
【図９】実施の形態の変形例に係る照明装置の構成の概要を示す断面図である。
【発明を実施するための形態】
【００１２】
以下、実施の形態に係る照明装置について、図面を参照しながら説明する。なお、以下に説明する実施の形態及びその変形例のそれぞれは、本発明の一具体例を示すものである。したがって、以下の実施の形態及びその変形例で示される、数値、形状、材料、構成要素、構成要素の配置位置及び接続形態などは、一例であって本発明を限定する主旨ではない。よって、以下の実施の形態及びその変形例における構成要素のうち、本発明の最上位概念を示す独立請求項に記載されていない構成要素については、任意の構成要素として説明される。
【００１３】
なお、各図は模式図であり、必ずしも厳密に図示されたものではない。また、各図において、実質的に同一の構成に対しては同一の符号を付し、重複する説明は省略または簡略化される場合がある。
【００１４】
［照明装置の全体構成］
まず、本実施の形態に係る照明装置の構成について、図１〜図３を用いて説明する。
【００１５】
図１は、実施の形態に係る照明装置１０の外観を示す斜視図である。図２Ａは、実施の形態に係る照明装置１０の部分断面図である。図２Ｂは、実施の形態に係る発光装置３０の構成概要を示す側面図である。図３は、実施の形態に係る照明装置１０の構成概要を示す分解斜視図である。
【００１６】
なお、図１、図２Ａ、及び図３において、紙面上下方向に沿って描かれた一点鎖線は照明装置１０のランプ軸ｊを示している。本実施の形態では、ランプ軸ｊは、発光装置３０の発光部３２の中心を通る仮想的な直線であり、かつ、全体として円筒状の照明装置１０の平面視（Ｚ軸方向から見た場合）における中心軸である。また、本実施の形態では、ランプ軸ｊはＺ軸方向と平行である。
【００１７】
また、照明装置１０を構成する複数の部品のそれぞれは、ネジ等の固定部材によって他の部品に固定されているが、これら固定部材の図示は、図１〜図３において省略されている。また、図３では、図２Ａに示される複数の部品のうちの主な部品のみを図示し、他の部品の図示は省略されている。
【００１８】
図１〜図３に示すように、照明装置１０は、発光装置３０と、発光装置３０を収容する筐体２０とを備える。筐体２０は、第一放出部２２と第二放出部２４とを有する。第一放出部２２は、発光装置３０からの光を通過させて筐体２０の外部に放出する。第二放出部２４は、発光装置３０からの光を通過させて筐体２０の外部に放出する。また、第二放出部２４は、第一放出部２２から放出される光とは異なる方向に光を放出する。筐体２０における第一放出部２２及び第二放出部２４の間の領域は、天板部２１によって遮光されている。つまり、第一放出部２２及び第二放出部２４の間には遮光部材（天板部２１）が設けられている。
【００１９】
本実施の形態において、筐体２０は柱部材１００に支持されている。具体的には、筐体２０は、柱部材１００によって、第一放出部２２から放出される光を上方に向ける姿勢で支持される。
【００２０】
このように構成された照明装置１０は、例えば、柱部材１００の下端部が屋外の地面に固定されることで、当該地面に立設され、２つの放出部（２２、２４）それぞれから放出される光で、空間的に離れて存在する２つの照明対象を照らすことができる。なお、照明装置１０の配光特性については、図４〜図７を用いて後述する。
【００２１】
次に、照明装置１０の構成の詳細について、図１〜図３を参照しながら説明する。
【００２２】
［発光装置］
発光装置３０は、照明装置１０が、照明用の光源として備える発光モジュールである。具体的には、発光装置３０は、図２Ａ、図２Ｂ、及び図３に示すように、基板３１と、基板３１上に設けられた発光部３２とを有する。
【００２３】
発光部３２は、図２Ｂに示すように、基板３１に実装された１以上の発光素子３３と、１以上の発光素子３３を封止する封止部材３４とを有する。
【００２４】
発光部３２が有する発光素子３３としては、例えば、青色光を放出する青色ＬＥＤチップが採用される。青色ＬＥＤチップとしては、例えばＩｎＧａＮ系の材料によって構成された、中心波長が４４０ｎｍ〜４７０ｎｍの窒化ガリウム系の半導体発光素子が用いられる。本実施の形態において、１以上の発光素子３３のそれぞれは、例えば透光性のダイアタッチ剤（ダイボンド剤）によって基板３１の主面にダイボンディングされている。つまり、本実施の形態に係る発光装置３０は、ＣＯＢ（Ｃｈｉｐ  Ｏｎ  Ｂｏａｒｄ）構造である。
【００２５】
また、基板３１に実装された１以上の発光素子３３は、光の波長を変換する波長変換材を有する封止部材３４によって一括封止されている。本実施の形態において、封止部材３４は、所定の樹脂の中に、波長変換材として所定の蛍光体粒子が含有された蛍光体含有樹脂によって形成されている。なお、所定の樹脂としては、例えばシリコーン樹脂等の透光性材料が採用される。また、所定の蛍光体粒子としては、例えばＹＡＧ（イットリウム・アルミニウム・ガーネット）系の黄色蛍光体粒子が採用される。
【００２６】
この黄色蛍光体粒子は、発光素子３３からの青色光によって励起されると黄色光を放出する。その結果、発光装置３０からは、当該黄色光と発光素子３３からの青色光とによって得られる白色光が放出される。
【００２７】
なお、発光素子３３の数、配置位置、種類、発光色、及び、発光装置３０としての発光色等は、上記説明の内容に限定されない。発光素子３３の数及び発光色等は、例えば発光装置３０の用途に応じて適宜決定されればよい。
【００２８】
また、本実施の形態では、図２Ａに示すように、柱部材１００の内部の収容空間１０１に、駆動回路１５０が収容されており、発光装置３０は、駆動回路１５０から一対のリード線１６０を介して供給される電力によって発光する。なお、図２Ａでは、駆動回路１５０は簡略化されて図示されており、一対のリード線１６０は、点線で概念的に図示されている。
【００２９】
例えば、照明装置１０に交流電力が供給される場合、この交流電力は、駆動回路１５０によって発光装置３０に適した特性の直流電力に変換され、変換後の直流電力が発光装置３０に供給される。これにより、発光装置３０の発光部３２が有する１以上の発光素子３３が発光する。なお、駆動回路１５０には、例えば商用電源から交流電力を受け取るための電力線の一端が接続されており、電力線の他端は、例えば、柱部材１００の底部から柱部材１００の外部に露出して配置される。柱部材１００の外部に露出した電力線の他端は、例えば、屋内から延設された、商用電源に接続された電力線と接続される。
【００３０】
なお、駆動回路１５０が、柱部材１００の内部に収容されていることは必須ではなく、例えば、筐体２０の内部に駆動回路１５０が収容されてもよい。また、例えば、照明装置１０の外部に駆動回路１５０が配置されてもよい。
【００３１】
基板３１は、１以上の発光素子３３を実装するための実装用基板である。基板３１としては、例えばセラミック基板が採用される。セラミック基板としては、酸化アルミニウム（アルミナ）からなるアルミナ基板または窒化アルミニウムからなる窒化アルミニウム基板等が採用される。
【００３２】
具体的には、アルミナ粒子を焼成させることによって構成された、例えば厚みが１ｍｍ程度の白色の多結晶アルミナ基板（多結晶セラミック基板）が基板３１として採用される。
【００３３】
なお、セラミック基板は、例えば樹脂をベースとする樹脂基板と比べて熱伝導率が高く、複数の発光素子３３それぞれの熱を効率よく放熱させることができる点で好ましい。また、セラミック基板は経時劣化が小さく、耐熱性にも優れているという特徴も有する。
【００３４】
なお、基板３１の種類はセラミック基板には限定されない。例えば、樹脂基板、金属をベースとするメタルベース基板、または、ガラスからなるガラス基板等が採用される。また、メタルベース基板としては、例えば、表面に絶縁膜が形成された、アルミニウム合金基板、鉄合金基板または銅合金基板等が採用される。また、樹脂基板としては、例えば、ガラス繊維とエポキシ樹脂とからなるガラスエポキシ基板等が採用される。
【００３５】
このように構成された発光装置３０は、図２Ａ及び図３に示すように、筐体２０の本体部２５に設けられた基台部２６に固定される。より詳細には、図２Ａに示すように、絶縁部材２８を介して発光装置３０が基台部２６に固定される。これにより、金属製の本体部２５と、発光装置３０との電気的な絶縁の確実性が向上される。
【００３６】
また、発光装置３０は、発光部３２が露出する開口を有する発光装置カバー３５に覆われ、さらに、レンズ４０に覆われる。発光装置カバー３５は、例えば樹脂製のカバーであり、発光装置３０を保護する役目を有する。
【００３７】
レンズ４０は、発光装置３０の発光部３２が発する光の配光角を制御するレンズである。発光部３２から発せられた光の配光角は、第一放出部２２及び第二放出部２４のそれぞれから効率よく筐体２０の外部に放出されるように、レンズ４０によって制御される。レンズ４０は、アクリル（ＰＭＭＡ）またはガラス等の透光性の高い材料で形成されている。なお、発光装置カバー３５及びレンズ４０のそれぞれは、照明装置１０に備えられていなくてもよい。
【００３８】
［筐体］
筐体２０は、発光装置３０を収容し、かつ、発光装置３０からの光を外部に放出するための構造を有する。具体的には、筐体２０は、図２Ａに示すように、発光装置３０が固定される有底筒状の本体部２５と、本体部２５の上方に配置された天板部２１とを有する。
【００３９】
天板部２１は、例えば、アルミダイカスト（ＡＤＣ）製の部材、または、ポリブチレンテレフタレート（ＰＢＴ）等の絶縁性樹脂によって形成された部材であり、天板部２１の上面視（Ｚ軸プラス側から見た場合）における中央部分には、第一開口２２ａが形成されている。また、第一開口２２ａを埋めるように、透光性を有する第一カバー部材２２ｂが配置されている。本実施の形態では、これら第一開口２２ａと第一カバー部材２２ｂとによって第一放出部２２が構成されている。
【００４０】
より詳細には、第一カバー部材２２ｂは環状のパッキン８０を介して第一開口２２ａに嵌め合わされており、これにより、例えば、照明装置１０を屋外で使用した場合において、第一カバー部材２２ｂの周縁から筐体２０の内方への雨水等の浸入が抑制される。なお、パッキン８０は、第一パッキンの一例である。
【００４１】
また、例えば図２Ａに示すように、天板部２１の外径は、本体部２５の上端の外径よりも大きい。これにより、天板部２１と本体部２５の上端周縁との間には、円環状の第二開口２４ａが形成され、この第二開口２４ａを埋めるように、円環状の第二カバー部材２４ｂが配置されている。
【００４２】
第二カバー部材２４ｂは、アクリル（ＰＭＭＡ）またはガラス等の透光性の高い材料で構成された部材であり、入射する光を透過させる部材である。また、第二カバー部材２４ｂの中央部分には、発光装置３０から第一放出部２２に向かう光を通過させる開口２４ｃが形成されている。なお、第二カバー部材２４ｂは、入射する光を拡散させて透過させる機能（光拡散機能）を有してもよい。光拡散機能は、例えば、第二カバー部材２４ｂに含まれるシリカまたは炭酸カルシウム等の光拡散材によって実現される。また、第二カバー部材２４ｂを形成する樹脂またはガラスの内面または外面に、細かな凹凸を形成することで光拡散機能を実現してもよい。
【００４３】
本実施の形態では、筐体２０に形成された第二開口２４ａと第二カバー部材２４ｂとによって第二放出部２４が構成されている。
【００４４】
具体的には、第二カバー部材２４ｂは環状のパッキンを介して第二開口２４ａに嵌め合わされている。より詳細には、第二カバー部材２４ｂと本体部２５との間に、環状のパッキン８１が配置されており、第二カバー部材２４ｂと天板部２１との間に、環状のパッキン８２が配置されている。これにより、例えば、照明装置１０を屋外で使用した場合において、第二カバー部材２４ｂの周縁から筐体２０の内方への雨水等の浸入が抑制される。なお、パッキン８１及び８２のそれぞれは、第二パッキンの一例である。また、環状のパッキン８０、８１、及び８２のそれぞれは、例えば、Ｏリング（Ｏ−リング、オーリング）とも呼ばれる場合もある。
【００４５】
なお、本実施の形態では、本体部２５と天板部２１とは、第二カバー部材２４ｂを介して接続されている。具体的には、本体部２５は、図示しない複数のネジにより第二カバー部材２４ｂに固定される。また、天板部２１は、図示しない複数のネジにより第二カバー部材２４ｂに固定される。これにより、本体部２５と天板部２１とは機械的に接続される。
【００４６】
また、本実施の形態では、第二放出部２４からの光の放出は、反射部６０による光の反射を利用して実現されている。具体的には、照明装置１０は、天板部２１における筐体２０の内側の位置に配置され、発光装置３０からの光を反射して第二放出部２４から放出させる反射部６０を備える。
【００４７】
本実施の形態では、図２Ａ〜図３に示すように、反射部６０は、発光装置３０が有する発光素子３３と対向する位置に開口６１が形成された環状の部材である。なお、反射部６０は、例えば、ＰＢＴ等の樹脂製の環状部材の片面に、アルミ等の金属を蒸着すること得られる部材である。なお、反射部６０の素材は樹脂には限定されず、例えばアルミニウムまたはステンレス等の金属の板材を加工することで作製されてもよい。この場合、反射部６０の、発光装置３０側の面（図２Ａにおける下面）には、例えば、光の散乱を抑制するように研磨等の表面加工がなされてもよい。
【００４８】
また、反射部６０は、天板部２１と一体の構成要素として、照明装置１０に備えられてもよい。例えば、金属製の天板部２１の裏面（発光装置３０側の面）を、反射部６０として機能させてもよい。または、樹脂製の天板部２１の裏面に、金属を蒸着させることで、当該裏面を反射部６０として機能させてもよい。
【００４９】
なお、本実施の形態では、反射部６０は、図示しないネジによって天板部２１に固定されている。また、反射部６０と、第一カバー部材２２ｂの周縁に配置されたパッキン８０の下面との間にはスペーサ７０が挟まれており、スペーサ７０によって、パッキン８０が上方に押圧される。これにより、例えば、第一カバー部材２２ｂと天板部２１との間の気密性が向上される。
【００５０】
［配光特性］
次に、上記のように構成された照明装置１０の配光特性について、図４〜図７を用いて説明する。
【００５１】
図４は、実施の形態に係る照明装置１０の内部から外部に到る光の経路を模式的に示す断面図である。図５は、実施の形態に係る第一放出部２２及び第二放出部２４のそれぞれから放出される光の広がり角を示す側面図である。図６は、実施の形態に係る照明装置１０の第二放出部２４から放射状に光が放出されることを示す上面図である。図７は、実施の形態に係る照明装置１０の設置例を示す図である。
【００５２】
図４に示すように、本実施の形態に係る照明装置１０は、発光装置３０を収容する筐体２０を備え、筐体２０は、発光装置３０からの光を筐体２０の外部に放出する第一放出部２２と第二放出部２４とを有する。また、第一放出部２２と第二放出部２４とでは、放出する光の方向が互いに異なっており、第一放出部２２及び第二放出部２４の間には光学部材の一例である天板部２１が配置されている。
【００５３】
つまり、照明装置１０は、例えば、空間位置が互いに異なる２つの照明対象のそれぞれに対して光を当てることができる。すなわち、照明装置１０は、２つの照明対象を含む広い範囲の全体を照らすのではなく、２つの照明対象の各々を照らすための構造を有している。より詳細には、本実施の形態では、光学部材である天板部２１は、発光装置３０からの光を遮光する遮光部材である。そのため、第一放出部２２からの光の照射領域と、第二放出部２４からの光の照射領域との間には、遮光部材としての天板部２１による暗部が形成される。そのため、例えば、１つの照明装置１０によって、複数の照明装置による照明と同じ演出効果を生み出すことができる。
【００５４】
このように、本実施の形態に係る照明装置１０によれば、複数の照明対象のそれぞれを適切に照らすことができる。
【００５５】
具体的には、反射部６０が、天板部２１における筐体２０の内側の位置に配置されており、この反射部６０が、発光装置３０からの光を反射して第二放出部２４から放出させる構造を有している。
【００５６】
これにより、照明装置１０は、筐体２０内の１つの光源（発光装置３０）から発せられた光を、筐体２０から、互いに異なる少なくとも２つの方向に放出することができる。
【００５７】
また、本実施の形態に係る反射部６０は、発光装置３０が有する発光素子３３と対向する位置に開口６１が形成された環状の部材である。また、第一放出部２２は、発光素子３３から放出され、開口６１を通過した光を通過させることで、発光装置３０からの光を筐体２０の外部に放出する。さらに、第二放出部２４は、発光素子３３から放出され、反射部６０で反射した光を通過させることで、発光装置３０からの光を筐体２０の外部に放出する。
【００５８】
つまり、図４に示すように、発光装置３０から出射された光の一部は、反射部６０の開口６１を通過し、かつ、発光装置３０の正面に配置された第一カバー部材２２ｂを透過して（第一開口２２ａを通過して）、筐体２０の外部に放出される。また、発光装置３０から出射された光の一部は、反射部６０で反射し、反射部６０の下方に配置された第二カバー部材２４ｂを透過して（第二開口２４ａを通過して）筐体２０の外部に放出される。
【００５９】
照明装置１０は、このように光の経路が形成されていることで、第一放出部２２から比較的に狭い範囲に光を照射し、第二放出部２４から、第一放出部２２の照射範囲よりも広い範囲に光を照射することができる。
【００６０】
つまり、本実施の形態では、第一放出部２２から放出される光の広がり角と、第二放出部２４から放出される光の広がり角とは互いに異なる。具体的には、第一放出部２２から放出される光の広がり角は、第二放出部２４から放出される光の広がり角よりも小さい。
【００６１】
すなわち、図５に示すように、第一放出部２２から放出される光の広がり角θ１と、第二放出部２４から放出される光の広がり角θ２とを比較すると、θ１＜θ２である。
【００６２】
なお、第一放出部２２から放出される光の広がり角θ１は、例えば、光度値が、最大光度（本実施の形態ではランプ軸ｊにおける光度）から最大光度の１／２までの範囲の角（１／２ビーム角）として規定される。θ１は、例えば３０°〜４０°程度である。
【００６３】
また、第二放出部２４から放出される光の広がり角θ２は、光度値が、最大光度（本実施の形態では第二放出部２４の直下（Ｚ軸マイナス方向）の光度）から最大光度の１／２までの範囲である。本実施の形態では、図５に示すように、θ２には、柱部材１００の存在範囲も含まれている。θ２は、例えば１２０°〜１５０°程度である。
【００６４】
この構成によれば、例えば、第一放出部２２によって、照明装置１０から離れた位置の照明対象にスポットライトを当て、かつ、第二放出部２４によって、照明装置１０に近い位置の照明対象を明るく照らすことができる。
【００６５】
ここで、本実施の形態では、第一放出部２２及び第二放出部２４のそれぞれの筐体２０における位置は、第一放出部２２が上方に光を放出する場合に、第二放出部２４が斜め下方に向けて光を放出する位置である。
【００６６】
具体的には、図４に示すように、第一放出部２２が上（Ｚ軸プラス方向）を向く姿勢で照明装置１０を配置した場合、第二放出部２４は、照明装置１０の根元（柱部材１００の下端部）を中心とした所定の範囲を照らす位置に存在する。
【００６７】
そのため、照明装置１０は、筐体２０の上方を照明対象に下方から明るく照らし、かつ、筐体２０の下方の照明対象を上方から明るく照らすことができる。
【００６８】
例えば、屋外の地面に立設された照明装置１０は、第一放出部２２から放出される光によって、比較的に高い庭木を下方から照らし、かつ、第二放出部２４から放出される光によって、筐体２０よりも下方に位置する草花を照らすことができる。
【００６９】
つまり、照明装置１０は、庭木及び草花を含む広い空間の全体を照らすのではなく、庭木及び草花のそれぞれを個別に照らすことができる。すなち、照明装置１０は、複数の照明対象のそれぞれを適切に照らすことができ、これにより、例えば、夜間の外構空間における照明による演出効果が向上される。
【００７０】
また、第一放出部２２は、筐体２０から所定の方向に向けて光を放出し、第二放出部２４は、当該所定の方向から見た場合において、筐体２０から放射状に光を放出する。本実施の形態では、具体的には、第一放出部２２は筐体２０から上に向けて光を放出し、第二放出部２４は、上から見た場合において、筐体２０から放射状に光を放出する。簡単に言うと、本実施の形態に係る照明装置１０は、スポットライトを上方に照射し、かつ、スカート状に広がる光を下方に照射する構成を有している。
【００７１】
つまり、図６に示すように、照明装置１０が立設された平面上には、照明装置１０を中心とする円形（略円形も含む）の照射領域２００が、第二放出部２４からの光によって生じる。
【００７２】
なお、図６に示す照射領域２００は、第二放出部２４から放出される光（広がり角θ２、図５参照）によって照らされる主な領域を模式的に示すものであり、照射領域２００とそれ以外の領域との境界線は明確に視認される必要はない。また、照射領域２００内におけるドットの濃淡は、径方向での明るさの変化を模式的に示しており、ドットが濃いほど明るいことを意味している。つまり、図６に示される照射領域２００は、照明装置１０に近い領域ほど明るいことを意味している。なお、図示の便宜上、照射領域２００の明るさは３段階で変化するよう図示されているが、照射領域２００の明るさは段階的に変化する必要はない。さらに、上面図である図６では、第二放出部２４を直接的に図示できないため、筐体２０の周方向における第二放出部２４の存在範囲を点線で図示している。これらの事項は、後述する図７、図８Ａ及び図８Ｂについても適用される。
【００７３】
このように、第二放出部２４は、筐体２０から放射状に光を放出し、これにより、照明装置１０の根元（柱部材１００の下端部）を中心とした照射領域２００が形成される。そのため、例えば、図７に模式的に示されるように、庭木の近傍の、草花が植えられている領域に照明装置１０を立設することで、当該領域の草花を第二放出部２４からの光で効率よく照らすことができる。また、第一放出部２２からは、上述のように、広がり角が比較的に狭い光が放出される。そのため、図７に模式的に示されるように、庭木の一部であって、照明装置１０の上方に位置する部分に、第一放出部２２からの光の照射領域２１０が形成される。つまり、夜間の外構空間において、比較的高い位置に存在する照明対象を光によって浮かび上がらせることができる。
【００７４】
また、本実施の形態では、照明装置１０は、第一放出部２２から放出される光を上方に向ける姿勢で筐体２０を支持する柱部材１００を備えている。また、柱部材１００の内部には、発光装置３０に電力を供給する駆動回路１５０が収容されている。つまり、筐体２０を外構空間の演出に適した姿勢で支持する支柱（柱部材１００）の内部空間を利用して、駆動回路１５０が照明装置１０に備えられる。これにより、例えば、筐体２０の小型化が図られる。また、例えば、照明装置１０の設置が容易化される。
【００７５】
なお、第二放出部２４は、筐体２０の周方向の全域から均一に光を放出する必要はない。また、第二放出部２４が放出する光は、照射領域２００の径方向の全域に到達しなくてもよい。例えば図８Ａ及び図８Ｂのように、照射領域２００の一部に、径方向または周方向の暗部（第二放出部２４からの光量が他よりも少ない部分）２０１が存在してもよい。
【００７６】
図８Ａは、実施の形態に係る照射領域２００の第１の別例を示す図であり、図８Ｂは、実施の形態に係る照射領域２００の第２の別例を示す図である。
【００７７】
第二放出部２４は、筐体２０から放射状に光を放出する場合において、筐体２０の周方向の少なくとも一部に、光を放出しない部分を有してもよい。例えば、第二放出部２４が有する第二カバー部材２４ｂ（例えば図４参照）の周方向の一部に、光の透過を抑制する塗膜が形成されること、または、第二開口２４ａの周方向の一部に、遮光する部材が配置されること、などにより、第二放出部２４の周方向の一部から実質的に光が放出されなくてもよい。
【００７８】
図８Ａに示す例では、第二放出部２４の周方向の４箇所に、光が実質的に放出されない部分が存在し、これにより、照射領域２００に、径方向に延びる暗部２０１が４箇所形成されている。
【００７９】
また、第二放出部２４は、筐体２０から放射状に光を放出する場合において、筐体２０の軸方向（本実施の形態ではＺ軸方向）の少なくとも一部に、光を放出しない部分を有してもよい。例えば、第二放出部２４が有する第二カバー部材２４ｂ（例えば図４参照）の軸方向の一部に、光の透過を抑制する塗膜が形成されること、または、第二開口２４ａの軸方向の一部に、遮光する部材が配置されること、などにより、第二放出部２４の軸方向の一部から実質的に光が放出されなくてもよい。
【００８０】
図８Ｂに示す例では、第二放出部２４の軸方向の２箇所に、光が実質的に放出されない環状の部分が存在し、これにより、照射領域２００に、２つの同心円状の暗部２０１が形成されている。
【００８１】
このように、第二放出部２４から放射状に放出される光によって形成される、全体として円形の照射領域２００に、例えば設計者が意図した位置及び形状の暗部２０１が形成されてもよい。これにより、例えば、夜間の外構空間における照明による演出効果をより向上させることができる。このことは、第一放出部２２から放出される光によって形成される照射領域２１０についても同じである。
【００８２】
なお、図８Ａ及び図８Ｂのそれぞれに示される暗部２０１の形状、位置、及び数は一例である。例えば、暗部２０１によって、所定の図形、文字、または数字等が表されるように、第二放出部２４または第一放出部２２が構成されてもよい。
【００８３】
また、照明装置１０において、第一放出部２２用の発光素子と、第二放出部２４用の発光素子とが、別々に設けられてもよい。そこで、実施の形態の変形例として、第一放出部用の発光素子と、第二放出部用の発光素子とを別々に有する照明装置について、上記実施の形態との差分を中心に説明する。
【００８４】
（実施の形態の変形例）
図９は、実施の形態の変形例に係る照明装置１１の構成の概要を示す断面図である。
【００８５】
実施の形態の変形例に係る照明装置１１は、発光装置１３０と、発光装置１３０を収容する筐体１２０を備え、筐体１２０は、互いに異なる方向に光を放出する第一放出部１２２と第二放出部１２４とを有する。さらに、第一放出部１２２と第二放出部１２４との間には、光学部材の一例である天板部１２１であって、遮光部材として機能する天板部１２１が配置されている。これらの構造上の特徴については、上記実施の形態に係る照明装置１０と共通する。また、筐体１２０は、発光装置１３０が固定される有底筒状の本体部１２５と、本体部１２５の上方に配置された天板部１２１とを有する。さらに、第一放出部１２２は、筐体１２０に設けられた第一開口１２２ａと第一カバー部材１２２ｂとによって構成され、第二放出部１２４は、筐体１２０に設けられた第二開口１２４ａと第二カバー部材１２４ｂとによって構成される。これらの点においても、上記実施の形態に係る照明装置１０と共通する。
【００８６】
しかし、本変形例に係る照明装置１１では、簡単に言うと、第一放出部１２２と第二放出部１２４とは、互いに異なる発光素子からの光を通過させて、筐体１２０の外部に放出する。この点において、上記実施の形態に係る照明装置１１とは異なる。
【００８７】
具体的には、本変形例に係る発光装置１３０は、基板１３１と、基板１３１の上面（第一放出部１２２側の面）に配置された第一発光部１３２ａと、基板１３１の裏面（第二放出部１２４側の面）に配置された第二発光部１３２ｂとを有する。第一発光部１３２ａは、基板１３１の上面に実装された１以上の発光素子３３ａと、当該１以上の発光素子３３ａを封止する封止部材３４とを含む。第二発光部１３２ｂは、基板１３１の裏面に実装された１以上の発光素子３３ｂと、当該１以上の発光素子３３ｂを封止する封止部材３４とを含む。なお、発光素子３３ａは、第一発光素子の一例であり、発光素子３３ｂは、第二発光素子の一例である。
【００８８】
すなわち、本変形例に係る発光装置１３０は、光軸が第一放出部１２２に向く姿勢で配置された第一発光素子（発光素子３３ａ）と、光軸が第二放出部１２４に向く姿勢で配置された第二発光素子（発光素子３３ｂ）とを有する。
【００８９】
これにより、例えば、第一放出部１２２及び第二放出部１２４のそれぞれから放出される光の光束を増加させることができる。
【００９０】
なお、発光素子３３ａ及び３３ｂのそれぞれは、上記実施の形態１と同じく、例えば青色ＬＥＤチップである。また、発光素子３３ａ及び３３ｂのそれぞれが発する青色光は、封止部材３４に含まれる波長変換材によって白色光に変換される。つまり、第一放出部１２２及び第二放出部１２４のそれぞれからは、白色光が放出され、空間位置が異なる少なくとも２つの照明対象を、白色光で照らすことができる。
【００９１】
また、発光装置１３０の基板１３１は、例えば、上面視において円形であり、第二発光部１３２ｂは、円形の裏面の外周に沿って円環状に形成される。この場合、第二放出部１２４からは、上記実施の形態１に係る第二放出部２４と同じく、放射状に光が放出される（図４参照）。
【００９２】
このように、本変形例に係る照明装置１１は、上記実施の形態１と同じく、２つの照明対象の各々を照らすための構造を有している。より詳細には、また、第一放出部１２２からの光の照射領域と、第二放出部１２４からの光の照射領域との間には、光学部材の一種である遮光部材（本実施の形態では天板部１２１）による暗部が形成される。そのため、例えば、１つの照明装置１１によって、複数の照明装置による照明と同じ演出効果を生み出すことができる。
【００９３】
従って、本変形例に係る照明装置１１によれば、複数の照明対象のそれぞれを適切に照らすことができる。
【００９４】
なお、第一発光部１３２ａと第二発光部１３２ｂとは、１枚の基板に配置されなくてもよい。つまり、発光装置１３０において、第一発光部１３２ａは、第一基板に配置され、第二発光部１３２ｂは、第一基板とは異なる第二基板に配置されてもよい。
【００９５】
（他の実施の形態）
以上、本発明に係る照明装置について、上記実施の形態及び変形例に基づいて説明したが、本発明は、上記の実施の形態及び変形例に限定されるものではない。
【００９６】
例えば、天板部２１は、遮光部材としてではなく導光部材として機能してもよい。例えば、天板部２１を、光の屈折率が互いに異なる２種類の透光性樹脂によって形成することで、発光装置３０から入射した光を、第一放出部２２または第二放出部２４に導くように構成してもよい。つまり、天板部２１は、発光装置３０から天板部２１に入射する光の少なくとも一部を、第一放出部２２及び第二放出部２４の少なくとも一方に導く導光部材であってもよい。
【００９７】
この場合、例えば、天板部２１に導かれた光が、第一カバー部材２２ｂに効率よく入射するように、第一カバー部材２２ｂと第一開口２２ａの内周面との間のパッキン８０を、透光性の高い樹脂で構成してもよい。また、天板部２１と第二カバー部材２４ｂとの間のパッキン８２についても同様に、透光性の高い樹脂で構成してもよい。
【００９８】
また、天板部２１が、入射した光を第一放出部２２または第二放出部２４に導く導光部材として機能する場合であっても、天板部２１は、発光装置３０からの光の一部を第二天板部２１の方向に反射してもよい。また、天板部２１は、発光装置３０から入射する光の一部を、照明装置１０の外部に放出するように透過させてもよい。
【００９９】
このように、天板部２１を導光部材として機能させることで、例えば、第一放出部２２または第二放出部２４からの光束を増加させることができる。また、例えば、天板部２１に入射する光の一部が外部に向けて透過するように天板部２１を構成することで、天板部２１をぼんやりと光らせることができる。これにより、例えば、メインの照明光を放出する第一放出部２２及び第二放出部２４の間に、天板部２１によるサブの照明光の放出部が構成される。
【０１００】
また、例えば、第一放出部２２から放出される光の広がり角θ１は、第二放出部２４から放出される光の広がり角θ２より大きくてもよい。つまり、これら光の広がり角θ１及びθ２のそれぞれは、照明装置１０の用途、または、照明装置１０が設置される周囲の環境等に応じて、適宜決定されればよい。
【０１０１】
また、上記実施の形態に係る第一放出部２２は、第一カバー部材２２ｂを有しなくてもよい。この場合であっても、第一放出部２２は、第一開口２２ａを有することで、発光装置３０からの光を通過させて、筐体２０の外部に放出することができる。なお、この場合、照明装置１０が、例えば、筐体２０を覆う透光性のカバーを備えることで、第一開口２２ａからの雨水等の浸入が抑制される。
【０１０２】
また、第一放出部２２は、第一開口２２ａを有しなくてもよい。例えば、透明な樹脂を基材とする筐体２０の、天板部２１に相当する領域に有色の塗料を塗布することで遮光部材を形成し、かつ、第一開口２２ａに相当する領域を無塗装のままにする。これにより、発光装置３０からの光は、筐体２０における無塗装の当該領域を通過（透過）して、筐体２０の外部に放出される。つまり、筐体２０の一部である、光が透過可能な部分（例えば透明な部分）を、第一放出部２２として機能させてもよい。言い換えると、筐体２０と、第一カバー部材２２ｂとが一体に成形されていてもよい。
【０１０３】
なお、上記の第一放出部２２についての補足事項は、第二放出部２４についても適用される。すなわち、第二放出部２４は、第二カバー部材２４ｂを有しなくてもよく、または、第二開口２４ａを有しなくてもよい。
【０１０４】
また、例えば、第二放出部２４は、放射状に光を放出しなくてもよい。例えば、上記実施の形態に係る照明装置１０の、Ｙ軸プラス側（例えば図５参照）の所定の範囲を照らすように、第二放出部２４から光が放出されてもよい。この場合であっても、照明装置１０は、空間位置が互いに異なる２つの照明対象のそれぞれに対して光を当てることができる。
【０１０５】
また、第一放出部２２と第二放出部２４とは、同時に光を放出しなくてもよい。つまり、第一放出部２２からの光の放出と、第二放出部２４からの光の放出とは独立して制御されてもよい。第一放出部２２及び第二放出部２４それぞれの、光を放出するか否かの制御（発光制御）は、例えば、光の経路上に配置された遮光板（シャッター）を開閉することで行われてもよい。また、シャッターの開閉は電動で行われてもよく、手動で行われてもよい。さらに、発光制御は、第一放出部２２及び第二放出部２４の一方についてのみ行われてもよい。このように、第一放出部２２及び第二放出部２４の少なくとも一方の発光制御を可能とすることで、照明装置１０を用いて、例えば、時間帯、周囲環境の明るさ、または、ユーザの好み等に応じた外構空間の演出を行うことができる。
【０１０６】
また、照明装置１０は、屋外で用いられることが必須ではなく、屋内で用いられてもよい。また、照明装置１０の用途は外構空間の演出には限定されない。例えば、第一放出部２２から放出される光によって、上方に設置された看板または案内図等を照らし、かつ、第二放出部２４から放出される光によって、人が歩行する通路を照らしてもよい。つまり、照明装置１０は、空間演出ではなく、屋外または屋内に設置された実用的な照明として機能してもよい。
【０１０７】
また、発光素子３３は、ＬＥＤチップそのものでなくてもよい。発光素子３３は、例えば、上面が開口したパッケージと、パッケージ内に配置されたＬＥＤチップとを備えるＳＭＤ（Ｓｕｒｆａｃｅ  Ｍｏｕｎｔ  Ｄｅｖｉｃｅ）型ＬＥＤ素子であってもよい。この場合、波長変換材を含む樹脂がパッケージ内に充填されるため、封止部材３４は不要である。
【０１０８】
また、発光素子３３はＬＥＤ素子には限定されない。半導体レーザなどの半導体発光素子、有機ＥＬ（Ｅｌｅｃｔｒｏ  Ｌｕｍｉｎｅｓｃｅｎｃｅ）または無機ＥＬなどの発光素子が発光素子３３として採用されてもよい。
【０１０９】
また、発光装置３０は、青色ＬＥＤチップと黄色蛍光体とによって白色光を放出するように構成されているが、発光装置３０は、白色光以外の光を放出してもよい。
【０１１０】
また、発光装置３０が白色光を放出するための構成は、青色ＬＥＤチップと黄色蛍光体との組み合わせに限られない。例えば、赤色蛍光体及び緑色蛍光体を含有する蛍光体含有樹脂を用いて、これと青色ＬＥＤチップと組み合わせることにより白色光を放出するように構成してもよい。
【０１１１】
また、青色以外の色を発光するＬＥＤチップを用いてもよい。例えば、青色ＬＥＤチップよりも短波長である紫外光を放出する紫外ＬＥＤチップと、主に紫外光により励起されることで青色光、赤色光及び緑色光を放出する、青色蛍光体粒子、緑色蛍光体粒子及び赤色蛍光体粒子とを組み合わせてもよい。
【０１１２】
なお、以上説明した、実施の形態に係る照明装置１０の各構成要素についての補足事項は、上記変形例に係る照明装置１１が備える各構成要素についても適用される。
【０１１３】
その他、上記実施の形態及び変形例に対して当業者が思いつく各種変形を施して得られる形態や、本発明の趣旨を逸脱しない範囲で実施の形態及び変形例における構成要素及び機能を任意に組み合わせることで実現される形態も本発明に含まれる。
【符号の説明】
【０１１４】
１０、１１  照明装置
２０、１２０  筐体
２１、１２１  天板部（光学部材、遮光部材、導光部材）
２２、１２２  第一放出部
２２ａ、１２２ａ  第一開口
２２ｂ、１２２ｂ  第一カバー部材
２４、１２４  第二放出部
２４ａ、１２４ａ  第二開口
２４ｂ、１２４ｂ  第二カバー部材
３０、１３０  発光装置
３３  発光素子
３３ａ、３３ｂ  発光素子（第一発光素子、第二発光素子）
６０  反射部
６１  開口
８０  パッキン（第一パッキン）
８１、８２  パッキン（第二パッキン）
１００  柱部材
１５０  駆動回路
【図１】
0006583671.tif 000002
【図２Ａ】
0006583671.tif 000003
【図２Ｂ】
0006583671.tif 000004
【図３】
0006583671.tif 000005
【図４】
0006583671.tif 000006
【図５】
0006583671.tif 000007
【図６】
0006583671.tif 000008
【図７】
0006583671.tif 000009
【図８Ａ】
0006583671.tif 000010
【図８Ｂ】
0006583671.tif 000011
【図９】
0006583671.tif 000012